(57)【要約】【課題】読取ライン方向の調整を迅速かつ容易に行うことができるスキャナ装置、スキャナの調整用治具及びスキャナ装置の製造方法を提供することができる。【解決手段】対象画像をライン単位で読み取るスキャナの読取ラインの方向を調整するためのパターンが設けられた調整用治具であって、スキャナを保持する保持部と、保持したスキャナの読取ライン方向が正しく調整されている場合にスキャナが読み取るべき目標読取ラインに隣接して設けられた第１パターンと、目標読取ラインを挟んで第１パターンの反対側に、目標読取ラインに隣接して設けられ、スキャナによって読み取り可能な少なくとも１つの色相における明度又は読取ライン方向の幅が第１パターンと異なる第２パターンとを備える調整用治具を提供する。【選択図】  図１
2005020555.tif 000002
【特許請求の範囲】
【請求項１】
対象画像をライン単位で読み取るスキャナの読取ラインの方向を調整するためのパターンが設けられた調整用治具であって、
前記スキャナを保持する保持部と、
保持した前記スキャナの読取ライン方向が正しく調整されている場合に前記スキャナが読み取るべき目標読取ラインに隣接して設けられた第１パターンと、
前記目標読取ラインを挟んで前記第１パターンの反対側に、前記目標読取ラインに隣接して設けられ、前記スキャナによって読み取り可能な少なくとも１つの色相における明度又は読取ライン方向の幅が前記第１パターンと異なる第２パターンとを備える調整用治具。
【請求項２】
前記第１パターンは、前記目標読取ラインが位置する前記調整用治具上の領域と比較し、前記スキャナによって読み取り可能な少なくとも１つの色相における明度が低く、
前記第２パターンは、前記目標読取ラインが位置する前記調整用治具上の領域と比較し、前記スキャナによって読み取り可能な少なくとも１つの色相における明度が高い請求項１記載の調整用治具。
【請求項３】
前記第１パターン及び前記第２パターンのそれぞれは、前記目標読取ラインに隣接する辺が前記目標読取ラインと平行である四角形状である請求項１記載の調整用治具。
【請求項４】
前記第１パターン及び前記第２パターンのそれぞれは、前記目標読取ラインから離れるにしたがって前記目標読取ライン方向の幅が増加又は減少する形状である請求項３記載の調整用治具。
【請求項５】
前記目標読取ラインに沿って設けられた複数の前記第１パターンと、
前記目標読取ラインを挟んで前記複数の第１パターンのそれぞれの反対側にそれぞれ設けられた複数の前記第２パターンとを備える請求項１記載の調整用治具。
【請求項６】
前記複数の第１パターンのそれぞれは、前記目標読取ラインからの距離が互いに異なるように配置され、前記複数の第２パターンのそれぞれは、前記目標読取ラインからの距離が互いに異なるように配置される請求項５記載の調整用治具。
【請求項７】
前記第１パターン及び前記第２パターンのそれぞれは、前記目標読取ラインの第１の端部までの距離が前記目標読取ラインの中点までの距離と比較し小さい位置に設けられる請求項１記載の調整用治具。
【請求項８】
２つの前記第１パターン及び２つの前記第２パターンを備え、
一の前記第１パターン及び一の前記第２パターンのそれぞれは、前記目標読取ラインの第１の端部までの距離が前記目標読取ラインの中点までの距離と比較し小さい位置に設けられ、
他の前記第１パターン及び他の前記第２パターンのそれぞれは、前記目標読取ラインの前記第１の端部と異なる第２の端部までの距離が前記目標読取ラインまでの距離と比較し小さい位置に設けられる請求項１記載の調整用治具。
【請求項９】
対象画像をライン単位で読み取るスキャナ装置であって、
対象画像をライン単位で読み取るスキャン部と、
前記スキャナ装置を診断する場合において、読取ライン方向が正しく調整された前記スキャン部が読み取るべき目標読取ラインに隣接して設けられた第１パターンと、
前記目標読取ラインを挟んで前記第１パターンの反対側に、前記目標読取ラインに隣接して設けられ、前記スキャン部によって読み取り可能な少なくとも１つの色相における明度又は読取ライン方向の幅が前記第１パターンと異なる第２パターンと、
前記スキャナ装置を診断する場合において、前記スキャン部に前記目標読取ラインを読み取らせ、前記第１パターンが読み取られたと判断した場合に、読取ライン方向の位置が前記第１パターンと同じ読取ライン上の位置において、当該読取ラインが前記目標読取ラインに対し前記第１パターン側にずれていると診断し、前記第２パターンが読み取られたと判断した場合に、読取ライン方向の位置が前記第２パターンと同じ読取ライン上の位置において、当該読取ラインが前記目標読取ラインに対し前記第２パターン側にずれていると診断する診断部とを備えるスキャナ装置。
【請求項１０】
対象画像をライン単位で読み取るスキャン部を備えるスキャナ装置の製造方法であって、
前記スキャン部を調整用治具に保持する保持段階と、
保持した前記スキャン部の読取ライン方向が正しく調整されている場合に前記スキャン部が読み取るべき目標読取ラインに隣接して設けられた第１パターンと、前記目標読取ラインを挟んで前記第１パターンの反対側に、前記目標読取ラインに隣接して設けられ、前記スキャン部によって読み取り可能な少なくとも１つの色相における明度又は読み取りライン方向の幅が前記第１パターンと異なる第２パターンとが設けられた調整用被スキャン部上の前記目標読取ラインを前記スキャン部に読み取らせる読取段階と、
前記読取段階において前記第１パターンが読み取られたと判断した場合に、読取ライン方向の位置が前記第１パターンと同じ読取ライン上の位置において、当該読取ラインが前記目標読取ラインに対し前記第１パターン側にずれていると診断し、前記第２パターンが読み取られたと判断した場合に、読取ライン方向の位置が前記第２パターンと同じ読取ライン上の位置において、当該読取ラインが前記目標読取ラインに対し前記第２パターン側にずれていると診断する診断段階と、
前記診断段階における診断の結果、前記スキャン部の読取ラインにおける前記第１パターン側にずれている箇所を前記第１パターンに対する前記目標読取ライン方向にずらすように前記スキャン部を調整し、前記スキャン部の読取ラインにおける前記第２パターン側にずれている箇所を前記第２パターンに対する前記目標読取ライン方向にずらすように前記スキャン部を調整する調整段階とを備えるスキャナ装置の製造方法。
【発明の詳細な説明】
【０００１】
【発明の属する技術分野】
本発明は、スキャナ装置、スキャナの調整用治具、及びスキャナ装置の製造方法に関する。特に本発明は、対象画像をライン単位で読み取るスキャナの読取ラインの方向を調整及び／又は診断するスキャナ装置、スキャナの調整用治具、及びスキャナ装置の製造方法に関する。
【０００２】
【従来の技術】
従来、対象画像をライン単位で読み取るスキャナ装置に設けられた基準線近傍をスキャン部により読み取った結果に基づいて、スキャナ装置における光電変換素子の位置ずれを検出する方法が提案されている（特許文献１参照。）。
【０００３】
【特許文献１】
特開平１０−９３７８７号公報
【０００４】
【発明が解決しようとする課題】
上記の方法においては、スキャナ装置の製造後に基準線近傍を読み取って、位置ずれの検出及び補正を行う。一方、近年のスキャナ装置の高解像度化に伴い、スキャナ装置の読取ライン方向のずれによる影響が大きくなっており、スキャン部単体として精度を高めることが要求される。このため、製造段階においてスキャン部を取り付ける前や、スキャナ装置を出張保守する際等に、迅速かつ容易にスキャン部を調整できることが望ましい。
【０００５】
そこで本発明は、上記の課題を解決することのできるスキャナ装置、スキャナの調整用治具、及びスキャナ装置の製造方法を提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、対象画像をライン単位で読み取るスキャナの読取ラインの方向を調整するためのパターンが設けられた調整用治具であって、前記スキャナを保持する保持部と、保持した前記スキャナの読取ライン方向が正しく調整されている場合に前記スキャナが読み取るべき目標読取ラインに隣接して設けられた第１パターンと、前記目標読取ラインを挟んで前記第１パターンの反対側に、前記目標読取ラインに隣接して設けられ、前記スキャナによって読み取り可能な少なくとも１つの色相における明度又は読取ライン方向の幅が前記第１パターンと異なる第２パターンとを備えるスキャナ装置及び調整用治具と、これを用いたスキャナ装置の製造方法とを提供する。
【０００７】
なお上記の発明の概要は、本発明の必要な特徴の全てを列挙したものではなく、これらの特徴群のサブコンビネーションも又発明となりうる。
【０００８】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【０００９】
図１は、本実施形態に係る調整用治具１０の構成を示す。調整用治具１０は、スキャナ１１０の読取ラインの方向を調整するためのパターンが設けられており、スキャン装置に取り付ける前にスキャナ１１０の読取ライン方向の調整を行うために用いられる。調整用治具１０は、調整用治具筐体１００と、スキャナ１１０と、保持部１１７と、調整用被スキャン部１６０と、オシロスコープ１７０とを備え、調整の対象となるスキャナ１１０が固定される。
【００１０】
調整用治具筐体１００は、スキャナ１１０を収納する調整用治具１０の筐体である。スキャナ１１０は、対象画像をライン単位で読み取るスキャナであり、調整用治具１０を用いて調整される。スキャナ１１０は、保持部１１７にネジ止め等されることによりスキャナ１１０を調整用治具筐体１００に固定させる被保持部１１５と、読み取りの対象画像を照射する蛍光管１２０と、対象画像から反射された光を順次反射してレンズ１４０へ導くミラー１２５、１３０及び１３５と、ミラー１２５、１３０、及び１３５により導かれた光を集光するレンズ１４０と、集光された光をライン単位で読み取り光電変換するＣＣＤ１５０とを有する。
【００１１】
保持部１１７は、被保持部１１５にネジ止め等されることによりスキャナ１１０を保持する。調整用被スキャン部１６０は、スキャナ１１０の読取ライン方向を調整するためのパターンが設けられており、スキャナ１１０の読取ライン方向を調整する際にスキャナ１１０により読み取られる。オシロスコープ１７０は、スキャナ１１０内のＣＣＤ１５０により読み取られた読取ラインの画素値の波形を表示する。
【００１２】
以上において、調整用治具１０は、スキャナ１１０が搭載されるスキャナ装置と略同様の形状を有してよく、対象画像が描かれた紙を読み取る試験にも併用されてよい。ここで、対象画像が描かれた紙を読み取る試験においては、給紙された紙は、対象画像から反射された光をスキャナ１１０に入射させる箇所と、調整用被スキャン部１６０との間に位置する給紙経路１８０を通過してよい。
【００１３】
図２は、本実施形態に係るスキャナ１１０の斜視図を示す。スキャナ１１０は、被保持部１１５において調整用治具筐体１００内の保持部１１７、又は、スキャン装置における保持部１１７に対応する保持部に保持される。スキャナ１１０は、蛍光管１２０、ミラー１２５、ミラー１３０、及びミラー１３５を収容する本体部に、レンズ１４０及びＣＣＤ１５０を装着して組み立てられる。
【００１４】
ここで、ミラー１２５、ミラー１３０、ミラー１３５、レンズ１４０、及びＣＣＤ１５０の装着誤差や個体差によって、スキャナ１１０の読取ラインの方向がわずかにずれる。このようなスキャナ１１０をスキャナ装置に搭載すると、給紙方向と直角でない読取ラインにより対象画像を読み取るため、読み取られた画像に歪みが生じる。そこで、調整用被スキャン部１６０上のパターンを読み取った結果に基づいて、スキャナ１１０及びレンズ１４０に対するＣＣＤ１５０の装着位置及び装着角度を予め調整し、出荷されるスキャナ装置の精度を高める。
【００１５】
図３は、本実施形態に係る調整用被スキャン部１６０のパターン構成を示す。調整用被スキャン部１６０は、調整用治具１０が保持したスキャナ１１０の読取ライン方向が正しく調整されている場合にスキャナ１１０が読み取るべき目標読取ライン３２０に隣接して設けられた第１パターン３００と、目標読取ライン３２０を挟んで第１パターン３００の反対側に目標読取ライン３２０に隣接して設けられ、スキャナ１１０によって読み取り可能な少なくとも１つの色相における明度又は読取ライン方向の幅が第１パターン３００と異なる第２パターン３１０とを有する。
【００１６】
ここで、第１パターン３００と第２パターン３１０とが、スキャナ１１０によって読み取り可能な少なくとも１つの色相における明度が異なるとは、例えばスキャナ１１０がＲＧＢ（赤・緑・青）の３色相のそれぞれの明度を読み取り可能である場合において、赤・緑・青のうち少なくとも１つの明度が異なることをいう。ここで、赤・緑・青の比率が異なる場合には、結果として第１パターン３００及び第２パターン３１０の色彩が異なることになる。また、赤・緑・青の比率が同一であるがそれぞれの明度が異なる場合、結果として第１パターン３００及び第２パターン３１０の色彩は同一であるが、明度が異なることになる。
【００１７】
また、スキャナ１１０が例えば白等の単一色の明度を読み取り可能である場合においては、白、灰色、黒のように白の明度が異なることをいう。なお、ここで明度とは、蛍光管１２０により照射された照射光を第１パターン３００及び第２パターン３１０が反射する反射率であってよく、これに代えて第１パターン３００及び第２パターン３１０が発光する場合における光の明るさであってもよい。
【００１８】
以下、図３（ａ）から（ｅ）を用いて本実施形態に係る調整用被スキャン部１６０のパターン構成の一例を示す。また、図４（ａ）から（ｅ）を用いて、図３（ａ）から（ｅ）のそれぞれのパターンを読み取った場合にオシロスコープ１７０により観測される波形の一例を示す。図３（ａ）から（ｅ）のパターン構成において、調整用被スキャン部１６０は、第１パターン３００及び第２パターン３１０の部分を除き例えば灰色等の単一色である。このため、目標読取ライン３２０が位置する調整用治具１０上の領域、すなわち、目標読取ライン３２０が位置する調整用被スキャン部１６０上の領域も、調整用被スキャン部１６０における第１パターン３００及び第２パターン３１０を除く部分の色と同じ灰色等である。
以上に示したように目標読取ライン３２０が位置する調整用被スキャン部１６０上の領域を灰色等とすることにより、この領域がスキャナ１１０により読み取られた場合の明度の値を、明度の取り得る値のうち中間程度の値とすることができる。このため、第１パターン３００及び第２パターン３１０として、この領域より明度が低いパターン及び明度が高いパターンを用いれば、読み取られた明度の値に基づいて、スキャナ１１０がいずれのパターンを読み取ったかを容易に判別することができる。
【００１９】
図３（ａ）は、本実施形態に係る調整用被スキャン部１６０の第１のパターン構成を示す。本パターン構成においては、調整用被スキャン部１６０には、複数の第１パターン３００ａ〜ｂと、複数の第２パターン３１０ａ〜ｂとが設けられている。第１パターン３００ａ〜ｂは、目標読取ライン３２０が位置する調整用治具１０上の領域と比較し、スキャナ１１０によって読み取り可能な少なくとも１つの色相における明度が低く、例えば黒等である。第２パターン３１０ａ〜ｂは、目標読取ライン３２０が位置する調整用治具１０上の領域と比較し、スキャナ１１０によって読み取り可能な少なくとも１つの色相における明度が高く、例えば白等である。
【００２０】
また、第１パターン３００ａ〜ｂ及び第２パターン３１０ａ〜ｂのそれぞれは、目標読取ライン３２０に隣接する辺が目標読取ライン３２０と平行である四角形状である。これにより、オシロスコープ１７０の表示上に、それぞれのパターンがある程度の幅の波形として出現する。
また、第１パターン３００ａ〜ｂの一方及び第２パターン３１０ａ〜ｂの一方のそれぞれは、目標読取ライン３２０の第１の端部までの距離が目標読取ライン３２０の中点までの距離と比較し小さい位置、より好ましくは第１の端部の近傍に設けられる。一方、第１パターン３００ａ〜ｂの他方及び第２パターン３１０ａ〜ｂの他方のそれぞれは、目標読取ライン３２０の第１の端部と異なる第２の端部までの距離が目標読取ライン３２０までの距離と比較し小さい位置、より好ましくは第２の端部の近傍に設けられる。これにより、読取ラインが目標読取ライン３２０に対し微小な角度ずれている場合においても、ずれが生じていることをオシロスコープ１７０により観測することができる。
【００２１】
図４（ａ）は、調整されていないスキャナ１１０により第１のパターン構成を有する調整用被スキャン部１６０を読み取った場合に、オシロスコープ１７０により観測される波形の一例を示す。例えば、スキャナ１１０の読取ライン３１５が目標読取ライン３２０からずれており、第２パターン３１０ａ上から第１パターン３００ｂ上に至る読取ラインとなっている場合、オシロスコープ１７０は、読取ライン上の第２パターン３１０ａの位置において、目標読取ライン３２０が位置する調整用被スキャン部１６０上の領域より高い明度を観測し、読取ライン上の第１パターン３００ｂの位置において、目標読取ライン３２０が位置する調整用被スキャン部１６０上の領域より低い明度を観測する。この結果、オシロスコープ１７０は、目標読取ライン３２０が位置する調整用被スキャン部１６０上の領域より高い明度を示す第２パターン波形４１０ａを第２パターン３１０ａに対応して表示し、目標読取ライン３２０が位置する調整用被スキャン部１６０上の領域より低い明度を示す第１パターン波形４００ｂを第１パターン３００ｂに対応して表示する。
【００２２】
オシロスコープ１７０による上記の表示を観測した場合、調整用治具１０を用いてスキャナ１１０を調整する調整者は、読取ライン３１５方向の位置が第２パターン３１０ａと同じ読取ライン３１５上の位置において、読取ライン３１５が目標読取ライン３２０に対し第２パターン３１０ａ側にずれており、読取ライン３１５方向の位置が第１パターン３００ｂと同じ読取ライン３１５上の位置において、読取ライン３１５が目標読取ライン３２０に対し第１パターン３００ｂ側にずれているのを知ることができる。したがって、調整者は、オシロスコープ１７０の表示に基づいて、読取ライン３１５における第２パターン３１０ａ側にずれている箇所を第２パターン３１０ａに対する目標読取ライン３２０方向にずらすように調整し、読取ライン３１５における第１パターン３００ｂ側にずれている箇所を第１パターン３００ｂに対する目標読取ライン３２０方向にずらすように調整することができる。
【００２３】
上記と同様に、オシロスコープ１７０に表示される波形は、読取ライン３１５が第１パターン３００ａから第２パターン３１０ｂに至る読取ライン３１５となっている場合、読取ライン３１５が第１パターン３００ａから第１パターン３００ｂに至る読取ラインとなっている場合、読取ライン３１５が第２パターン３１０ａから第２パターン３１０ｂに至る読取ライン３１５となっている場合について、互いに識別可能である。これにより調整者は、スキャナ１１０の読取ライン３１５がずれている方向を知ることができる。
【００２４】
図３（ｂ）は、本実施形態に係る調整用被スキャン部１６０の第２のパターン構成を示す。本パターン構成においては、調整用被スキャン部１６０には、複数の第１パターン３００ｃ〜ｊが目標読取ライン３２０に沿って設けられ、複数の第２パターン３１０ｃ〜ｊが目標読取ライン３２０を挟んで複数の第１パターン３００ｃ〜ｊのそれぞれの反対側にそれぞれ設けられている。第１パターン３００ｃ〜ｊは、第１パターン３００ａ〜ｂと略同一の明度及び形状を有してよく、第２パターン３１０ｃ〜ｊは、第２パターン３１０ａ〜ｂとほぼ同一の明度及び形状を有してよい。また、複数の第１パターン３００ｃ〜ｊ及び複数の第２パターン３１０ｃ〜ｊは、目標読取ライン３２０方向の間隔が等間隔となるように設けられることが好ましい。
【００２５】
図４（ｂ）は、調整されていないスキャナ１１０により第２のパターン構成を有する調整用被スキャン部１６０を読み取った場合に、オシロスコープ１７０により観測される波形の一例を示す。例えば、スキャナ１１０の読取ライン３１５が目標読取ライン３２０からずれており、第２パターン３１０ｃ上から第１パターン３００ｊ上に至る読取ライン３１５となっている場合、オシロスコープ１７０は、読取ライン３１５上の第２パターン３１０ｃの位置において、目標読取ライン３２０が位置する調整用被スキャン部１６０上の領域より高い明度を観測し、読取ライン３１５上の第１パターン３００ｊの位置において、目標読取ライン３２０が位置する調整用被スキャン部１６０上の領域より低い明度を観測する。この結果、オシロスコープ１７０は、目標読取ライン３２０が位置する調整用被スキャン部１６０上の領域より高い明度を示す第２パターン波形４１０ｃを第２パターン３１０ｃに対応して表示し、目標読取ライン３２０が位置する調整用被スキャン部１６０上の領域より低い明度を示す第１パターン波形４００ｊを第１パターン３００ｊに対応して表示する。
【００２６】
また、読取ライン３１５が目標読取ライン３２０に対して斜めにずれている場合、ずれ角に応じて第１パターン３００ｃ〜ｊ及び／又は第２パターン３１０ｃ〜ｊのうちスキャナ１１０により読み取られるパターンの数が異なる。本例においては、第２パターン３１０ｄ及び第１パターン３００ｉは読取ライン３１５上に位置するため、オシロスコープ１７０により第２パターン波形４１０ｄ及び第１パターン波形４００ｉが観測される。一方、読取ライン３１５は、第１パターン３００ｅ及び第２パターン３１０ｅの間と、第１パターン３００ｆ及び第２パターン３１０ｆの間と、第１パターン３００ｇ及び第２パターン３１０ｇの間と、第１パターン３００ｈ及び第２パターン３１０ｈの間とを通るため、これらのパターンはオシロスコープ１７０により観測されない。
【００２７】
このように、第２のパターン構成によれば、目標読取ライン３２０に沿って複数の第１パターン３００及び第２パターン３１０を設けることにより、オシロスコープ１７０を用いてずれ角に応じた数の第１パターン波形４００及び／又は第２パターン波形４１０を観測することができる。これにより調整者は、スキャナ１１０の読取ライン３１５がずれている方向及びずれ量を知ることができる。
【００２８】
図３（ｃ）は、本実施形態に係る調整用被スキャン部１６０の第３のパターン構成を示す。本パターン構成においては、複数の第１パターン３００ｋ〜ｍのそれぞれは、目標読取ライン３２０からの距離が互いに異なるように配置され、複数の第２パターン３１０ｋ〜ｍのそれぞれは、目標読取ライン３２０からの距離が互いに異なるように配置される。同様に、複数の第１パターン３００ｎ〜ｐのそれぞれは、目標読取ライン３２０からの距離が互いに異なるように配置され、複数の第２パターン３１０ｎ〜ｐのそれぞれは、目標読取ライン３２０からの距離が互いに異なるように配置される。ここで、第１パターン３００ｋ〜ｐは、第１パターン３００ａ〜ｂと略同一の明度及び形状を有してよく、第２パターン３１０ｋ〜ｐは、第２パターン３１０ａ〜ｂとほぼ同一の明度及び形状を有してよい。
【００２９】
本実施形態において、複数の第１パターン３００ｋ〜ｐ及び複数の第２パターン３１０ｋ〜ｐのそれぞれは、目標読取ライン３２０の端部からより遠い第１パターン３００及び第２パターン３１０の目標読取ライン３２０からの距離が、目標読取ライン３２０の端部に近い第１パターン３００及び第２パターン３１０の目標読取ライン３２０からの距離と比較しより大きくなるように配置される。これに代えて、複数の第１パターン３００ｋ〜ｐ及び複数の第２パターン３１０ｋ〜ｐのそれぞれは、目標読取ライン３２０の端部からより遠い第１パターン３００及び第２パターン３１０の目標読取ライン３２０からの距離が、目標読取ライン３２０の端部に近い第１パターン３００及び第２パターン３１０の目標読取ライン３２０からの距離と比較しより小さくなるように配置されてもよい。
【００３０】
図４（ｃ）は、調整されていないスキャナ１１０により第３のパターン構成を有する調整用被スキャン部１６０を読み取った場合に、オシロスコープ１７０により観測される波形の一例を示す。例えば、スキャナ１１０の読取ライン３１５が目標読取ライン３２０からずれており、第２パターン３１０ｋ上から第１パターン３００ｐ上に至る読取ライン３１５となっている場合、オシロスコープ１７０は、読取ライン３１５上の第２パターン３１０ｋの位置において、目標読取ライン３２０が位置する調整用被スキャン部１６０上の領域より高い明度を観測し、読取ライン３１５上の第１パターン３００ｐの位置において、目標読取ライン３２０が位置する調整用被スキャン部１６０上の領域より低い明度を観測する。この結果、オシロスコープ１７０は、目標読取ライン３２０が位置する調整用被スキャン部１６０上の領域より高い明度を示す第２パターン波形４１０ｋを第２パターン３１０ｋに対応して表示し、目標読取ライン３２０が位置する調整用被スキャン部１６０上の領域より低い明度を示す第１パターン波形４００ｐを第１パターン３００ｐに対応して表示する。
【００３１】
また、読取ライン３１５が目標読取ライン３２０に対して斜めにずれている場合、ずれ角に応じて第１パターン３００ｋ〜ｐ及び／又は第２パターン３１０ｋ〜ｐのうちスキャナ１１０により読み取られるパターンの数が異なる。本例においては、第２パターン３１０ｌ及び第１パターン３００ｏは読取ライン３１５上に位置するため、オシロスコープ１７０により第２パターン波形４１０ｌ及び第１パターン波形４００ｏが観測される。一方、読取ライン３１５は、第１パターン３００ｍ及び第２パターン３１０ｍの間と、第１パターン３００ｎ及び第２パターン３１０ｎの間とを通るため、これらのパターンはオシロスコープ１７０により観測されない。
【００３２】
このように、第３のパターン構成によれば、目標読取ライン３２０からの距離が異なる複数の第１パターン３００及び複数の第２パターン３１０を設けることにより、オシロスコープ１７０を用いてずれ角に応じた数の第１パターン波形４００及び／又は第２パターン波形４１０を観測することができる。これにより調整者は、スキャナ１１０の読取ライン３１５がずれている方向及びずれ量を知ることができる。
【００３３】
図３（ｄ）は、本実施形態に係る調整用被スキャン部１６０の第４のパターン構成を示す。本パターン構成においては、第１パターン３００ｑ〜ｒ及び第２パターン３１０ｑ〜ｒのそれぞれは、目標読取ライン３２０から離れるにしたがって目標読取ライン３２０方向の幅が増加する形状を有する。すなわち例えば、第１パターン３００ｑ〜ｒ及び第２パターン３１０ｑ〜ｒのそれぞれは、下底より短い上底が目標読取ライン３２０に隣接する台形形状を有する。これに代えて、第１パターン３００ｑ〜ｒ及び第２パターン３１０ｑ〜ｒのそれぞれは、一の頂点が他の頂点と比較し目標読取ライン３２０の近傍に設けられる三角形状であってもよく、目標読取ライン３２０と平行でない辺が曲線であってもよい。また、第１パターン３００ｑ〜ｒ及び第２パターン３１０ｑ〜ｒのそれぞれは、目標読取ライン３２０から離れるにしたがって目標読取ライン３２０方向の幅が減少する形状を有してよい。また、第１パターン３００ｑ〜ｒは、第１パターン３００ａ〜ｂと略同一の明度を有してよく、第２パターン３１０ｑ〜ｒは、第２パターン３１０ａ〜ｂとほぼ同一の明度を有してよい。
【００３４】
図４（ｄ）は、調整されていないスキャナ１１０により第４のパターン構成を有する調整用被スキャン部１６０を読み取った場合に、オシロスコープ１７０により観測される波形の一例を示す。例えば、スキャナ１１０の読取ライン３１５が目標読取ライン３２０からずれており、第２パターン３１０ｑ上から第１パターン３００ｒに至る読取ライン３１５となっている場合、オシロスコープ１７０は、読取ライン３１５上の第２パターン３１０ｑの位置において、目標読取ライン３２０が位置する調整用被スキャン部１６０上の領域より高い明度を観測し、読取ライン３１５上の第１パターン３００ｒの位置において、目標読取ライン３２０が位置する調整用被スキャン部１６０上の領域より低い明度を観測する。この結果、オシロスコープ１７０は、目標読取ライン３２０が位置する調整用被スキャン部１６０上の領域より高い明度を示す第２パターン波形４１０ｑを第２パターン３１０ｑに対応して表示し、目標読取ライン３２０が位置する調整用被スキャン部１６０上の領域より低い明度を示す第１パターン波形４００ｒを第１パターン３００ｒに対応して表示する。
【００３５】
ここで、読取ライン３１５が目標読取ライン３２０に対して大きくずれる程、読取ライン３１５上における第２パターン３１０ｑの長さ及び読取ライン３１５上における第１パターン３００ｒの長さが増加する。この結果、読取ライン３１５が目標読取ライン３２０に対して大きくずれる程、図４（ｄ）における第２パターン波形４１０ｑ及び第１パターン波形４００ｒの幅が大きくなる。したがって、第４のパターン構成によれば、調整者は、オシロスコープ１７０に表示される第１パターン波形４００及び第２パターン波形４１０の明度及び幅に基づいて、スキャナ１１０の読み取りラインがずれている方向及びずれ量を知ることができる。
【００３６】
図３（ｅ）は、本実施形態に係る調整用被スキャン部１６０の第５のパターン構成を示す。本パターン構成において、調整用被スキャン部１６０は、目標読取ライン３２０に隣接して設けられた第１パターン３００ｓ〜ｔと、読取ライン方向の幅が第１パターン３００ｓ〜ｔとそれぞれ異なる第２パターン３１０ｓ〜ｔとを有する。本パターン構成において、第１パターン３００ｓ〜ｔ及び第２パターン３１０ｓ〜ｔは、例えば黒等の同一の明度であってもよい。
【００３７】
図４（ｅ）は、調整されていないスキャナ１１０により第５のパターン構成を有する調整用被スキャン部１６０を読み取った場合に、オシロスコープ１７０により観測される波形の一例を示す。例えば、スキャナ１１０の読取ライン３１５が目標読取ライン３２０からずれており、第２パターン３１０ｓ上から第１パターン３００ｔ上に至る読取ライン３１５となっている場合、オシロスコープ１７０は、読取ライン３１５上の第２パターン３１０ｓの位置において、目標読取ライン３２０が位置する調整用被スキャン部１６０上の領域より高い明度を観測し、読取ライン３１５上の第１パターン３００ｔの位置において、目標読取ライン３２０が位置する調整用被スキャン部１６０上の領域より低い明度を観測する。この結果、オシロスコープ１７０は、目標読取ライン３２０が位置する調整用被スキャン部１６０上の領域より高い明度を示す第２パターン波形４１０ｓを第２パターン３１０ｓに対応して表示し、目標読取ライン３２０が位置する調整用被スキャン部１６０上の領域より低い明度を示す第１パターン波形４００ｔを第１パターン３００ｔに対応して表示する。
【００３８】
ここで、第２パターン３１０ｓは、第１パターン３００ｓと比較し読取ライン３１５方向の幅が大きく、第２パターン３１０ｔは、第１パターン３００ｔと比較し読取ライン３１５方向の幅が大きい。したがって、オシロスコープ１７０による上記の表示を観測した場合、調整者は、観測される第１パターン波形４００及び／又は第２パターン波形４１０のそれぞれの幅に基づいて、当該位置において読取ライン３１５が第１パターン３００側又は第２パターン３１０側のいずれにずれていたかを知ることができる。
【００３９】
図５は、本実施形態の変形例に係るスキャナ装置５００の構成を示す。スキャナ装置５００は、紙送り部５１０と、スキャン部５２０と、読取バッファ５３０と、画像データ生成部５４０と、調整用被スキャン部５５０と、診断部５６０とを備える。紙送り部５１０は、スキャナ装置５００が読み取るべき紙に描かれた対象画像をスキャン部５２０の読取ライン上に供給し、ライン単位でスキャン部５２０の読取ライン上を移動させる。スキャン部５２０は、スキャナ１１０と同様の構成をとり、紙送り部５１０により移動される対象画像をライン単位で順次読み取る。読取バッファ５３０は、スキャン部５２０により読み取られた対象画像の１ライン分のデータを格納する。画像データ生成部５４０は、対象画像が描かれた紙の移動を紙送り部５１０に指示し、当該指示により順次移動される対象画像からスキャン部５２０により読み出され、読取バッファ５３０に順次格納される対象画像の各ラインのデータに基づいて、対象画像の画像データを生成する。そして、画像データ生成部５４０は、生成された画像データを外部の機器等に出力する。
【００４０】
調整用被スキャン部５５０は、スキャン部５２０の読取ライン方向を診断するためのパターンが設けられており、スキャン部５２０の読取ライン方向を診断する際にスキャン部５２０により読み取られる。調整用被スキャン部５５０には、スキャナ装置５００を診断する場合において、読取ライン方向が正しく調整されたスキャン部５２０が読み取るべき目標読取ラインに隣接して設けられた第１パターンと、目標読取ラインを挟んで第１パターンの反対側に、目標読取ラインに隣接して設けられ、スキャン部５２０によって読み取り可能な少なくとも１つの色相における明度又は読取ライン方向の幅が第１パターンと異なる第２パターンとを有する。ここで、調整用被スキャン部５５０上に設けられる第１パターン及び第２パターンは、図３に例示した調整用被スキャン部１６０における第１パターン及び第２パターンと同様であるため説明を省略する。
【００４１】
診断部５６０は、スキャナ装置５００を診断する場合において、スキャン部５２０に調整用被スキャン部５５０上の目標読取ラインを読み取らせ、読取結果に基づいてスキャン部５２０の読取ラインの方向を診断する。すなわち診断部５６０は、第１パターンが読み取られたと判断した場合に、読取ライン方向の位置が第１パターンと同じ読取ライン上の位置において、当該読取ラインが目標読取ラインに対し第１パターン側にずれていると診断する。一方、第２パターンが読み取られたと判断した場合に、読取ライン方向の位置が第２パターンと同じ読取ライン上の位置において、当該読取ラインが目標読取ラインに対し第２パターン側にずれていると診断する。ここで診断部５６０は、スキャン部５２０によって読み取られ、読取バッファ５３０に格納された調整用被スキャン部５５０の１ライン分の各画素の明度に基づいて、図４に関連して示した方法により第１パターン及び第２パターンのいずれが読み取られたかを判断してよい。
【００４２】
以上において診断部５６０は、スキャナ装置５００の電源投入時等において初期化処理を行う場合や、スキャナ装置５００の利用者に診断処理の開始を指示された場合等に、スキャン部５２０の読取ライン方向の診断を行ってよい。そして診断部５６０は、診断の結果スキャン部５２０の読取ライン方向がずれている場合に、読取ライン方向がずれていること、読取ラインのずれ方向、及び／又は、読取ラインのずれ量を利用者に対して表示する。
【００４３】
以上に示したスキャナ装置５００によれば、診断部５６０による診断処理により、出荷後に生じたスキャン部５２０の読取ライン方向のずれ方向及び／又はずれ量を検出することができる。このため、スキャナ装置５００の利用者は、スキャナ装置５００により読み取った画像データに生じた歪みの原因を容易に特定することができ、スキャナ装置５００の保守者は、スキャナ装置５００の保守を容易に行うことができる。
【００４４】
図６は、本実施形態の変形例に係るスキャナ装置５００の製造方法の一例を示す。
まず、準備段階において、紙送り部５１０、スキャン部５２０、読取バッファ５３０、画像データ生成部５４０、調整用被スキャン部５５０、診断部５６０、及びスキャナ装置５００の筐体を準備する。次に、保持段階Ｓ６００において、スキャナ１１０と同様にして、スキャン部５２０を調整用治具１０に保持する。次に、読取段階Ｓ６１０において、保持したスキャン部５２０の読取ライン方向が正しく調整されている場合にスキャン部５２０が読み取るべき目標読取ラインに隣接して設けられた第１パターンと、目標読取ラインを挟んで第１パターンの反対側に、目標読取ラインに隣接して設けられ、スキャン部５２０によって読み取り可能な少なくとも１つの色相における明度又は読み取りライン方向の幅が第１パターンと異なる第２パターンとが設けられた調整用被スキャン部１６０上の目標読取ラインをスキャン部５２０に読み取らせる。
【００４５】
次に、診断段階において、読取段階Ｓ６１０において第１パターンが読み取られたと判断した場合に、読取ライン方向の位置が第１パターンと同じ読取ライン上の位置において、当該読取ラインが目標読取ラインに対し第１パターン側にずれていると診断する（Ｓ６２０）。一方、読取ラインが目標読取ラインに対し第１パターン側にずれていると診断されなかった場合（Ｓ６２０：Ｎｏ）であって、読取段階Ｓ６２０において第２パターンが読み取られたと判断した場合に、読取ライン方向の位置が第２パターンと同じ読取ライン上の位置において、当該読取ラインが目標読取ラインに対し第２パターン側にずれていると診断する（Ｓ６４０）。
【００４６】
次に、調整段階において、診断段階における診断の結果スキャン部５２０の読取ラインにおける第１パターン側にずれている箇所を、第１パターンに対する目標読取ライン方向にずらすようにスキャン部５２０を調整する（Ｓ６３０）。一方、スキャン部５２０の読取ラインにおける第２パターン側にずれている箇所を、第２パターンに対する目標読取ライン方向にずらすようにスキャン部５２０を調整する（Ｓ６５０）。
【００４７】
本製造方法においては、目標読取ライン方向に対してスキャン部５２０の読取ライン方向が所定の誤差以内に収まるまで、Ｓ６１０からＳ６５０に示した処理を繰り返す。すなわち例えば、読取段階Ｓ６１０において第１パターン及び第２パターンが読み取られず、読取ラインが第１パターン及び第２パターンの間に位置する調整用被スキャン部１６０上の領域に位置するようになるまで上記の処理を繰り返す。
【００４８】
そして、取付段階Ｓ６６０において、スキャナ装置５００の筐体に、調整済みのスキャン部５２０と、紙送り部５１０、読取バッファ５３０、画像データ生成部５４０、調整用被スキャン部５５０、及び診断部５６０とを取り付ける。
【００４９】
以上に示した製造方法によれば、調整用被スキャン部１６０上の第１パターン及び第２パターンのいずれが読み取られるかに応じてスキャン部５２０の読取ラインのずれ方向及び／又はずれ量を知ることができるため、スキャナ装置５００をより迅速に製造することができる。
【００５０】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００５１】
例えば、スキャン装置は、スキャン部が移動しながら対象画像をライン単位で読み取る形態を採ってもよい。この場合、調整用被スキャン部５５０は、例えばスキャン部の可動範囲の縁部に設けられてもよい。
【００５２】
以上に説明した実施形態によれば、以下の各項目に示すスキャナ装置、スキャナの調整用治具、及びスキャナ装置の製造方法が実現される。
【００５３】
（項目１）  対象画像をライン単位で読み取るスキャナの読取ラインの方向を調整するためのパターンが設けられた調整用治具であって、前記スキャナを保持する保持部と、保持した前記スキャナの読取ライン方向が正しく調整されている場合に前記スキャナが読み取るべき目標読取ラインに隣接して設けられた第１パターンと、前記目標読取ラインを挟んで前記第１パターンの反対側に、前記目標読取ラインに隣接して設けられ、前記スキャナによって読み取り可能な少なくとも１つの色相における明度又は読取ライン方向の幅が前記第１パターンと異なる第２パターンとを備える調整用治具。
【００５４】
（項目２）  前記第１パターンは、前記目標読取ラインが位置する前記調整用治具上の領域と比較し、前記スキャナによって読み取り可能な少なくとも１つの色相における明度が低く、前記第２パターンは、前記目標読取ラインが位置する前記調整用治具上の領域と比較し、前記スキャナによって読み取り可能な少なくとも１つの色相における明度が高い項目１記載の調整用治具。
【００５５】
（項目３）  前記第１パターン及び前記第２パターンのそれぞれは、前記目標読取ラインに隣接する辺が前記目標読取ラインと平行である四角形状である項目１記載の調整用治具。
（項目４）  前記第１パターン及び前記第２パターンのそれぞれは、前記目標読取ラインから離れるにしたがって前記目標読取ライン方向の幅が増加又は減少する形状である項目３記載の調整用治具。
【００５６】
（項目５）  前記目標読取ラインに沿って設けられた複数の前記第１パターンと、前記目標読取ラインを挟んで前記複数の第１パターンのそれぞれの反対側にそれぞれ設けられた複数の前記第２パターンとを備える項目１記載の調整用治具。
（項目６）  前記複数の第１パターンのそれぞれは、前記目標読取ラインからの距離が互いに異なるように配置され、前記複数の第２パターンのそれぞれは、前記目標読取ラインからの距離が互いに異なるように配置される項目５記載の調整用治具。
【００５７】
（項目７）  前記第１パターン及び前記第２パターンのそれぞれは、前記目標読取ラインの第１の端部までの距離が前記目標読取ラインの中点までの距離と比較し小さい位置に設けられる項目１記載の調整用治具。
（項目８）  ２つの前記第１パターン及び２つの前記第２パターンを備え、一の前記第１パターン及び一の前記第２パターンのそれぞれは、前記目標読取ラインの第１の端部までの距離が前記目標読取ラインの中点までの距離と比較し小さい位置に設けられ、他の前記第１パターン及び他の前記第２パターンのそれぞれは、前記目標読取ラインの前記第１の端部と異なる第２の端部までの距離が前記目標読取ラインまでの距離と比較し小さい位置に設けられる項目１記載の調整用治具。
【００５８】
（項目９）  対象画像をライン単位で読み取るスキャナ装置であって、対象画像をライン単位で読み取るスキャン部と、前記スキャナ装置を診断する場合において、読取ライン方向が正しく調整された前記スキャン部が読み取るべき目標読取ラインに隣接して設けられた第１パターンと、前記目標読取ラインを挟んで前記第１パターンの反対側に、前記目標読取ラインに隣接して設けられ、前記スキャン部によって読み取り可能な少なくとも１つの色相における明度又は読取ライン方向の幅が前記第１パターンと異なる第２パターンと、前記スキャナ装置を診断する場合において、前記スキャン部に前記目標読取ラインを読み取らせ、前記第１パターンが読み取られたと判断した場合に、読取ライン方向の位置が前記第１パターンと同じ読取ライン上の位置において、当該読取ラインが前記目標読取ラインに対し前記第１パターン側にずれていると診断し、前記第２パターンが読み取られたと判断した場合に、読取ライン方向の位置が前記第２パターンと同じ読取ライン上の位置において、当該読取ラインが前記目標読取ラインに対し前記第２パターン側にずれていると診断する診断部とを備えるスキャナ装置。
【００５９】
（項目１０）  対象画像をライン単位で読み取るスキャン部を備えるスキャナ装置の製造方法であって、前記スキャン部を調整用治具に保持する保持段階と、保持した前記スキャン部の読取ライン方向が正しく調整されている場合に前記スキャン部が読み取るべき目標読取ラインに隣接して設けられた第１パターンと、前記目標読取ラインを挟んで前記第１パターンの反対側に、前記目標読取ラインに隣接して設けられ、前記スキャン部によって読み取り可能な少なくとも１つの色相における明度又は読み取りライン方向の幅が前記第１パターンと異なる第２パターンとが設けられた調整用被スキャン部上の前記目標読取ラインを前記スキャン部に読み取らせる読取段階と、前記読取段階において前記第１パターンが読み取られたと判断した場合に、読取ライン方向の位置が前記第１パターンと同じ読取ライン上の位置において、当該読取ラインが前記目標読取ラインに対し前記第１パターン側にずれていると診断し、前記第２パターンが読み取られたと判断した場合に、読取ライン方向の位置が前記第２パターンと同じ読取ライン上の位置において、当該読取ラインが前記目標読取ラインに対し前記第２パターン側にずれていると診断する診断段階と、前記診断段階における診断の結果、前記スキャン部の読取ラインにおける前記第１パターン側にずれている箇所を前記第１パターンに対する前記目標読取ライン方向にずらすように前記スキャン部を調整し、前記スキャン部の読取ラインにおける前記第２パターン側にずれている箇所を前記第２パターンに対する前記目標読取ライン方向にずらすように前記スキャン部を調整する調整段階とを備えるスキャナ装置の製造方法。
【００６０】
【発明の効果】
上記説明から明らかなように、本発明によれば、読取ライン方向の調整を迅速かつ容易に行うことができるスキャナ装置、スキャナの調整用治具及びスキャナ装置の製造方法を提供することができる。
【図面の簡単な説明】
【図１】本発明の実施形態に係る調整用治具１０の構成を示す。
【図２】本発明の実施形態に係るスキャナ１１０の斜視図を示す。
【図３】本発明の実施形態に係る調整用被スキャン部１６０のパターン構成を示す。図３（ａ）から（ｅ）は、本発明の実施形態に係る調整用被スキャン部１６０の第１から第５のパターン構成をそれぞれ示す。
【図４】本発明の実施形態に係るオシロスコープ１７０により観測される波形を示す。図４（ａ）から（ｅ）は、第１から第５のパターン構成において観測される波形の一例をそれぞれ示す。
【図５】本発明の実施形態の変形例に係るスキャナ装置５００の構成を示す。
【図６】本発明の実施形態の変形例に係るスキャナ装置５００の製造方法の一例を示す。
【符号の説明】
１０  調整用治具
１００  調整用治具筐体
１１０  スキャナ
１１５  被保持部
１１７  保持部
１２０  蛍光管
１２５  ミラー
１３０  ミラー
１３５  ミラー
１４０  レンズ
１５０  ＣＣＤ
１６０  調整用被スキャン部
１７０  オシロスコープ
１８０  給紙経路
３００ａ〜ｔ  第１パターン
３１０ａ〜ｔ  第２パターン
３１５  読取ライン
３２０  目標読取ライン
４００ａ〜ｒ  第１パターン波形
４１０ａ〜ｒ  第２パターン波形
５００  スキャナ装置
５１０  紙送り部
５２０  スキャン部
５３０  読取バッファ
５４０  画像データ生成部
５５０  調整用被スキャン部
５６０  診断部
【図１】
2005020555.tif 000003
【図２】
2005020555.tif 000004
【図３】
2005020555.tif 000005
【図４】
2005020555.tif 000006
【図５】
2005020555.tif 000007
【図６】
2005020555.tif 000008